(57)【要約】【課題】金属製フレームからなるスーツケースのシェル蓋体の表面上方に開口した開口部に、マチ部分を大きくし形成した正面蓋を開閉可能に設ける。【解決手段】縦長または横長の矩形に形成した合成樹脂材からなるシェル本体２とシェル蓋体１０とを連結具で接続して金属製フレームからなる接続枠部１２で開閉可能に形成してなるスーツケース１において、前記スーツケース１を縦置きにしたシェル蓋体１０の表面上方に開口部２０を設け、該開口部に正面蓋２６を開閉可能に取付け、該正面蓋の裏面側に小荷物を出し入れ可能に収容する第１ポケット部３０や、シェル蓋体１０の内部を上下二段に分割して第２、３ポケット部３５、４１をそれぞれ設けてなることを特徴とする。【選択図】    図３
0003217029.tif 000002
【実用新案登録請求の範囲】
【請求項１】
縦長または横長の矩形に形成した合成樹脂材からなるシェル本体（２）とシェル蓋体（１０）とを連結具で接続し、金属製フレームからなる接続枠部（１２）で開閉可能に形成してなるスーツケース（１）において、前記スーツケース（１）を縦置きにしたシェル蓋体（１０）の表面上方に開口部（２０）を設け、該開口部に正面蓋（２６）を開閉可能に取付けてなることを特徴とするスーツケース。
【請求項２】
前記正面蓋（２６）は、裏面側に小荷物（Ｘ）を出し入れ可能に収容する第１ポケット部（３０）を形成してなることを特徴とする前記請求項１記載のスーツケース。
【請求項３】
前記シェル蓋体（１０）は、内部を上下二段に分割して第２、３ポケット部（３５、４１）をそれぞれ設けてなることを特徴とする前記請求項１記載のスーツケース。
【請求項４】
前記シェル蓋体（１０）は、蓋開口部（１１）の全面をメッシュ生地あるいはゴムバンド、若しくはその両方からなる仕切布地（１５）で覆うと共に、該仕切布地を開閉可能にしてなることを特徴とする前記請求項１記載のスーツケース。
【請求項５】
前記シェル蓋体（１０）に設けた開口部（２０）は、上辺（２１）を蓋開口部（１１）附近から両側マチ側にマチ辺（２２）を開口し、下辺（２３）をシェル蓋体（１０）の表面側で上方から約三分の一または四分の一あるいは四分の一より狭い位置に開口してなり、該開口部の下辺（２３）と正面蓋（２６）の蓋下辺（２６ａ）を連結片（２５）で枢動可能に連結し、開口部（２０）の下辺（２３）と正面蓋（２６）の蓋下辺（２６ａ）を除く他の三辺に蓋ファスナー（２８）を取付けて正面蓋（２６）を開閉可能にしてなることを特徴とする前記請求項１記載のスーツケース。
【請求項６】
前記シェル蓋体（１０）の開口部（２０）に取付けた正面蓋（２６）は、裏側の内周縁全体に布地材からなるポケット裏地（３１）を取付け、該ポケット裏地の下辺（３１ａ）を除く他の三辺に第１ファスナー（３３）を取付けて開閉可能にした第１ポケット部（３０）を設けてなることを特徴とする前記請求項１または２記載のスーツケース。
【請求項７】
前記シェル蓋体（１０）に設けた第２ポケット部（３５）は、上方を前記開口部（２０）に連通し、底面（３５ａ）を前記シェル蓋体（１０）の約二分の一に位置し、周縁の正面地（３５ｂ）、側面地（３５ｃ）、背面地（３６）の上端を前記開口部（２０）縁に縫着して全体を袋状に形成してなり、前記第２ポケット部（３５）の背面地（３６）は、下辺を除く周縁の三辺に第２ファスナー（３７）を取付けて開閉可能に形成し、該背面地の内側には書類などを収納可能にする内ポケット（３９）を設けてなることを特徴とする前記請求項３記載のスーツケース。
【請求項８】
前記シェル蓋体（１０）に設けた第３ポケット部（４１）は、前記縦長に位置した第２ポケット部（３５）の下方に位置し、前記蓋シェル（１０）の蓋開口部（１１）に取付けた仕切布地（１５）の仕切ファスナー（１６）で開閉可能に形成してなることを特徴とする前記請求項３記載のスーツケース。  
【請求項９】
前記シェル蓋体（１０）に取付けた正面蓋（２６）は、該正面蓋と開口部（２０）とあいだの幅方向両端に、雌雄型で着脱可能に形成した連結具（４４）をそれぞれ連結した調節ベルト（５２）と、固定ベルト（５４）からなる一対の支持ベルト（４３）を取付けてなることを特徴とする前記請求項１または２記載のスーツケース。
【請求項１０】
前記一対の支持ベルト（４３）は、それぞれ連結具（４４）の一方連結雄片（４５）に調節ベルト（５２）を連結し、他方の連結雌片（５５）に固定ベルト（５４）を連結してなり、前記調節ベルト（５２）の端部を開口部（２０）のマチ側で、該調節ベルトが第２ポケット部（３５）の内側に向けて取付け、前記固定ベルト（５４）は、端部を正面蓋（２６）のマチ側に取付け、前記正面蓋（２０）を閉じたときに支持ベルト（４３）が開口部（２０）の外側に行かないように取付けてなることを特徴とする前記請求項９記載のスーツケース。
【請求項１１】
前記連結具（４４）を構成する連結雄片（４５）は、一端に調節ベルト（５２）を取付ける連結部（４６）と、連結雌片（５５）の嵌合部（５８）に着脱可能に嵌合する弾発力と可撓性を有した嵌合雄部（４７）とからなり、連結雌部（５５）は、一端に固定ベルト（５４）を取付ける連結部（５７）と、前記連結雄片（４５）の嵌合雄部（４７）を挿通して嵌合する嵌合孔（６０）と挿通孔（６１）を有した嵌合部（５８）とからなることを特徴とする前記請求項９記載のスーツケース。
【考案の詳細な説明】
【技術分野】
【０００１】
本考案は、硬質合成樹脂素材により形成したスーツケースの改良に関する。
【背景技術】
【０００２】
従来、旅行用の大型かばん、特に弾力性を有する硬質合成樹脂材、例えば、ポリカーボネイト系樹脂材からなるスーツケースは、縦長の略直方体に形成したかばん本体と蓋体とからなるシェルの長手方向片側に蝶番からなる連結部を取付け、反対側の辺に施錠キーを取付けて開閉可能に形成し、さらに、縦長の本体上方には把手部と移動用の伸縮キャリー把手部を取付け、一側面に簡易把手部を設け、底面に移動用のキャスターが取付けられたものが知られている。
【０００３】
前記スーツケースは、半割にしたシェル本体とシェル蓋体内にそれぞれ旅行中に必要な収容物（衣類、ベルト、ネクタイ、洗面用具など）を収容し、それぞれのシェルの開口部付近に取付けた固定バンドで収容物を固定することにより、スーツケースの開口時に収納物がこぼれ落ちたり、移動中の衝撃やスーツケースの上げ下ろしなどの衝撃で収容物が移動したり、片寄るのを防止している。
【０００４】
しかし、昨今は、ビジネスマンなどの移動において、スーツケースに収容するものが前記衣類の他、ノートパソコンやカメラなどの精密機器を収容して移動することが多くなった。そのため、縦置きにしたスーツケースは、本体を開閉することなく収容物を取り出しやすくするため、シェル蓋体の表面に開口部を設け、該開口部に副蓋を開閉可能に取付け、この副蓋の開閉によりシェル蓋体内に収容したノートパソコンやカメラなどの出し入れを容易にしたスーツケースが知られている（例えば、特許文献１、２）。
【先行技術文献】
【特許文献】
【０００５】
【特許文献１】実用第３１８２０８３号
【特許文献２】実用第３２１３２５２号
【０００６】
前記特許文献１、２にかかる考案は、いずれも縦置きしたスーツケースのシェル蓋体の表面側が大きく開く開口部を設け、該開口部に副蓋を開閉可能に取付けて収容したノートパソコンやカメラなどの出し入れを容易にしている。しかし、特許文献１の考案は、シェル蓋体のほぼ全体が開口する副蓋を取付けてあるため、副蓋を開口したときに必要な収容物だけでなく、他の収容物である書類や衣類などもこぼれでる可能性が有る。
【０００７】
また、特許文献２にかかる考案は、縦置きにしたスーツケースのシェル蓋体の表面上方から約半分を開口し、内部にモバイル機器を収容するための収納袋を着脱可能に取付けてある。そのためシェル蓋体の内部構造が複雑であると共に、不要時に取り外した収容袋の置き場所を考えたり紛失したりするおそれがあり不便である。さらには、特許文献１、２は、共に副蓋の裏側を薄く形成してあるため、副蓋の裏側には書類など薄いものしか収容することができない。などの多くの問題点を有している。
【考案の概要】
【考案が解決しようとする課題】
【０００８】
そこで本考案が解決しようとする課題は、スーツケースを縦置きにしたとき、シェル蓋体の上方に設けた開口部に正面蓋を開閉可能に取付け、シェル蓋体に設けた複数のポケット部から必要な収容物をしゃがまなくても取り出し可能にする。また、正面蓋のマチ部分を大きくして開口したことにより、正面蓋の裏側デッドスペースに収納スペースを形成し、頻繁に出し入れする収容物、例えば、清涼飲料水のペットボトルや缶コーヒーなどの飲み物を収容可能にする一方、シェル蓋体内に複数の収納ポケットを設け、収容物を整理よく別けて収納可能にすることを目的とする。
【課題を解決するための手段】
【０００９】
本考案は、縦長または横長の矩形に形成した合成樹脂材からなるシェル本体２とシェル蓋体１０とを連結具で接続し、金属製フレームからなる接続枠部１２で開閉可能に形成してなるスーツケース１において、前記スーツケース１を縦置きにしたシェル蓋体１０の表面上方に開口部２０を設け、該開口部に正面蓋２６を開閉可能に取付けてなることを特徴とする。また、前記正面蓋２６は、裏面側に小荷物Ｘを出し入れ可能に収容する第１ポケット部３０を形成してなることを特徴とする。さらには、前記シェル蓋体１０は、内部を上下二段に分割して第２、３ポケット部３５、４１をそれぞれ設けてなることを特徴とする。さらにはまた、前記シェル蓋体１０は、蓋開口部１１の全面をメッシュ生地あるいはゴムバンド、若しくはその両方からなる仕切布地１５で覆うと共に、該仕切布地を開閉可能にしてなることを特徴とする。また、前記シェル蓋体１０に設けた開口部２０は、上辺２１を蓋開口部１１附近から両側マチ側にマチ辺２２を開口し、下辺２３をシェル蓋体１０の表面側で上方から約三分の一または四分の一あるいは四分の一より狭い位置に開口してなり、該開口部の下辺２３と正面蓋２６の蓋下辺２６ａを連結片２５で枢動可能に連結し、開口部２０の下辺２３と正面蓋２６の蓋下辺２６ａを除く他の三辺に蓋ファスナー２８を取付けて正面蓋２６を開閉可能にしてなることを特徴とする。さらには、前記シェル蓋体１０の開口部２０に取付けた正面蓋２６は、裏側の内周縁全体に布地材からなるポケット裏地３１を取付け、該ポケット裏地の下辺３１ａを除く他の三辺に第１ファスナー３３を取付けて開閉可能にした第１ポケット部３０を設けてなることを特徴とする。さらにはまた、前記シェル蓋体１０に設けた第２ポケット部３５は、上方を前記開口部２０に連通し、底面３５ａを前記シェル蓋体１０の約二分の一に位置し、周縁の正面地３５ｂ、側面地３５ｃ、背面地３６の上端を前記開口部２０縁に縫着して全体を袋状に形成してなり、前記第２ポケット部３５の背面地３６は、下辺を除く周縁の三辺に第２ファスナー３７を取付けて開閉可能に形成し、該背面地の内側には書類などを収納可能にする内ポケット３９を設けてなることを特徴とする。また、前記シェル蓋体１０に設けた第３ポケット部４１は、前記縦長に位置した第２ポケット部３５の下方に位置し、前記蓋シェル１０の蓋開口部１１に取付けた仕切布地１５の仕切ファスナー１６で開閉可能に形成してなることを特徴とする。さらには、前記シェル蓋体１０に取付けた正面蓋２６は、該正面蓋と開口部２０とあいだの幅方向両端に、雌雄型で着脱可能に形成した連結具４４をそれぞれ連結した調節ベルト５２と、固定ベルト５４からなる一対の支持ベルト４３を取付けてなることを特徴とする。さらにはまた、前記一対の支持ベルト４３は、それぞれ連結具４４の一方連結雄片４５に調節ベルト５２を連結し、他方の連結雌片５５に固定ベルト５４を連結してなり、前記調節ベルト５２の端部を開口部２０のマチ側で、該調節ベルトが第２ポケット部３５の内側に向けて取付け、前記固定ベルト５４は、端部を正面蓋２６のマチ側に取付け、前記正面蓋２０を閉じたときに支持ベルト４３が開口部２０の外側に行かないように取付けてなることを特徴とする。また、前記連結具４４を構成する連結雄片４５は、一端に調節ベルト５２を取付ける連結部４６と、連結雌片５５の嵌合部５８に着脱可能に嵌合する弾発力と可撓性を有した嵌合雄部４７とからなり、連結雌部５５は、一端に固定ベルト５４を取付ける連結部５７と、前記連結雄片４５の嵌合雄部４７を挿通して嵌合する嵌合孔６０と挿通孔６１を有した嵌合部５８とからなることを特徴とする。
【００１０】
したがって、スーツケース１のシェル蓋体１０内に複数の第１、２、３ポケット部３０、３５、４１を設けたことにより、使用目的に合わせて整理よく荷物を収納することができる。また、シェル蓋体１０の上方表面に設けた開口部２０に開閉可能に取付けた正面蓋２６の裏面に第１ポケット部３０を設け、該第１ポケット部に頻繁に出し入れして嵩張るもの、たとえば、清涼飲料水、カメラ、週刊誌、新聞などを容易に収容することができる。さらには、第１ポケット部３０は、縦長に位置したシェル蓋体１０の上方に設けた正面蓋２６の裏面の設けてあるため、いちいちしゃがまなくても立ったままで小荷物Ｘを出し入れすることができる。さらにはまた、第２ポケット部３５は、シェル蓋体１０内で袋状に浮いた状態に取付けてあるため、外部からの衝撃が直接第２ポケット部３５に伝わりにくいので、衝撃に弱い収容物Ｙ（精密機械であるパソコンやカメラなど）を収納することができる。また、前記開口部２０と正面蓋２６との間に取付けた支持ベルト４３は、正面蓋２６を所定の任意角度で係止させて開口させることができるので正面蓋２６を開口したとき、第１ポケット部３０に収容した小荷物Ｘが表面側に飛び出すのを防止することができ、且つ、正面蓋２６の閉口時には支持ベルト４３が内側に傾倒し、支持ベルト４３が開口部２０に挟まるのを防止することができ、正面蓋２６をスムースに開閉することができる。
【図面の簡単な説明】
【００１１】
【図１】本考案にかかるスーツケースを開口した状態を示すシェル本体とシェル蓋体の斜視図である。
【図２】シェル蓋体の開口部に取付けた正面蓋を開口した状態の側面図である。
【図３】正面蓋を開口したスーツケースの一部破断した側面図である。
【図４】シェル蓋体の内側正面図である。
【図５】シェル蓋体の正面蓋を開口した状態の平面図である。
【図６】連結具を結合した支持ベルトの平面図である。
【図７】連結具を結合した支持ベルトの背面図である。
【図８】連結具の雌連結片と雄連結片を分離した状態の平面図である。
【図９】図８のＡ―Ａ線断面図である。
【図１０】雄連結片と調節ベルトの連結状態を示す要部拡大断面図である。
【考案を実施するための形態】
【００１２】
本考案の実施の形態を図面に基づいて説明すると、図１は本考案にかかるスーツケースを開口した状態を示すシェル本体とシェル蓋体の斜視図、図２シェル蓋体の開口部に取付けた正面蓋を開口した状態の側面図、図３は正面蓋を開口したスーツケースの一部破断した側面図、図４はシェル蓋体の内側正面図、図５はシェル蓋体の正面蓋を開口した状態の平面図である。本考案にかかるスーツケース１は、弾力性を有する硬質合成樹脂材、例えば、ポリカーボネイト系樹脂材からなり、それぞれ半割にしたシェル本体２とシェル蓋体１０の一側に蝶番からなる連結具（図示せず）で連結し、シェル本体２の開口部３とシェル蓋体１０の蓋開口部１１に金属製フレームからなる接合枠部１２を取付け、該接合枠部１２に取付けた錠前部８でシェル本体２とシェル蓋体１０をロックまたはアンロック可能に形成してある。
【００１３】
前記シェル本体２は、図１に示すごとく、上面と側面にそれぞれ設けた把手部５と、上方一側に移動用の伸縮把手部６とを備え、下面に移動用のキャスター７を取付けてなり、半割にした開口部３の周縁に金属製フレームからなる接合枠部１２を取付けてある。
【００１４】
前記シェル蓋体１０は、図１、２に示すごとく、縦長に位置した下面に移動用のキャスター７を取付け、半割にした蓋開口部１１の周縁に金属製フレームからなる補強用の接続枠部１２を取付けてなり、該開口部の内側全体にメッシュ生地若しくはゴムバンドあるいはその両方からなる仕切布地１５を取付けてある。前記仕切布地１５がメッシュ生地の場合、縦長の一辺を除く他の３辺に仕切ファスナー１６を取付けて開閉可能にし、且つ、内部を分割して複数の第２、３ポケット部３５、４１を設けてある。
【００１５】
前記シェル蓋体１０は、図２、３に示すごとく、表面側の上方に内部の荷物を出し入れするための開口部２０を設け、該開口部にシェル蓋体１０と同一素材で形成した正面蓋２６を開閉可能に取付けてある。
【００１６】
前記開口部２０は、上辺２１を接合枠部１２附近から両側マチ側にマチ辺２２を開口し、下辺２３をシェル蓋体１０の表面で上方から約三分の一または四分の一の位置、若しくは四分の一より狭い位置、好ましくは、約三分の一の位置に設けて開口してある。
【００１７】
前記正面蓋２６は、該正面蓋の下辺部２６ａと開口部２０の下辺２３とを連結片２５で枢動可能に連結し、正面蓋の下辺部２６ａと開口部２０の下辺２３を除く他の三辺に蓋ファスナー２８を取付けて正面蓋２６を開閉可能に形成してある。
【００１８】
この正面蓋２６は、図３、５に示すごとく、裏側に小荷物Ｘ（ペットボトル、カメラ、新聞、週刊誌など）を出し入れ可能に収容する第１ポケット部３０を設け、該第１ポケット部は、正面蓋２６の内側辺全体に布地またはメッシュ地からなるポケット裏地３１を取付け、このポケット裏地３１は、下辺３１ａを除く他の三辺に第１ファスナー３３を取付けて第１ポケット部３０を開閉可能に形成してある。
【００１９】
この第１ポケット部３０は、図５に示すごとく、正面蓋２６の裏側のデットスペースを有効利用するため、開口部を深く抉って形成したことにより広い空間をとることができる。そのため、嵩張るもので、しかも使用頻度が高い小荷物Ｘを収納可能にすることができるのでスーツケース１の利便性をさらに向上させることができる。
【００２０】
さらには、第１ポケット部３０を正面蓋２６の裏側に設けたことにより、正面蓋２６を開口したとき、第１ポケット部３０に収納したものが正面から見え内部の小荷物Ｘ、例えば、ペットボトルを取り出すときにしゃがむことなく前かがみになるだけで容易に取り出すことができる。  
【００２１】
前記第２ポケット部３５は、図３、４に示すごとく、縦長に位置したシェル蓋体１０の内部を上下二段に分割した上段側に位置し、上方を前記シェル蓋体１０の開口部２０に連通し、底面３５ａを前記シェル蓋体１０の約二分の一の位置に設け、周縁の正面地３５ｂ、側面地３５ｃ、背面地３６の上端を前記開口部２０の周縁に縫着して袋状に形成してある。
【００２２】
したがって、第２ポケット部３５は、シェル蓋体１０内で袋状に浮いた状態に取付けられているため、外部からの圧力や衝撃を直接受けにくく、衝撃に弱い収容物Ｙ（例えば、精密機械であるパソコンやカメラなど）を容易に収納することができる。
【００２３】
前記第２ポケット部３５の背面地３６は、図４に示すごとく、下辺を除く三辺の周縁に第２ファスナー３７を取付けて開閉可能に形成してあるので前記第２ファスナー３７を開口すると、第３ポケット部４１側、またはシェル蓋体１０の蓋開口部１１側に連通可能に形成してある。
【００２４】
この第２ポケット部３５の内側背面地３６には、上辺に設けた開口部３９ａから書類などを収納するメッシュ地からなる内ポケット３９を設け、前記開口部３９ａに開閉可能なファスナー４０を取付けてある。
【００２５】
前記第３ポケット部４１は、図４に示すごとく、前記縦長に位置した第２ポケット部３５の下方に位置し、シェル本体２に収容しきれない衣類や小物などを収容可能に形成し、この第３ポケット部４１の開口部は前記蓋シェル１０の蓋開口部１１に取付けた仕切布地１５で開閉可能に形成してある。
【００２６】
前記シェル蓋体１０の開口部２０と正面蓋２６との間に取付けた支持ベルト４３は、図２、３に示すごとく、正面蓋２６を開口したときに任意角度で係止させることができる。この正面蓋２６が所定角度で係止されるため、第１ポケットに収容した小荷物がひっくり返ることなく取り出すことができる。また、この支持ベルト４３は、調節ベルト５２を伸縮させることにより正面蓋２６の開口角度を調節することができるので、第１ポケット部３０または第２ポケット部３５に収容する荷物のおおきさにより開口幅を調節することができる。
【００２７】
前記支持ベルト４３は、図６、７に示すごとく、雌雄型で着脱可能に形成した連結具４４の連結雄片４５に挿通した調節ベルト５２と、連結雌片５５に取付けた固定ベルト５４とからなり、前記調節ベルト５２の端部をシェル蓋体１０のマチ側で、該調節ベルトが第２ポケット５２の内側に向くように取付け、固定ベルト５４の端部は正面蓋２６のマチ側に取付け、正面蓋２６の閉口時に支持ベルト４３が開口部２０の外側に行かないように傾斜して開閉をスムースに行うように取付けてある。
【００２８】
前記連結具４４の連結雄片４５は、図８に示すごとく、一端に調節ベルト５２を取付ける連結部４６と、連結雌片５５の嵌合部５８に着脱可能に嵌合する弾発力と可撓性を有した嵌合片４８を有した嵌合雄部４７とからなり、輪状にした調節ベルト５２を連結部４６に回装し、端部をシェル蓋体１０のマチ側に固定してある。
【００２９】
前記連結具４４の連結雌片５５は、図８に示すごとく、一端に固定ベルト５４を連結する連結部５７と、前記連結雄片４５の嵌合雄部４７に設けた嵌合片４８が着脱可能に嵌合する嵌合部５８とからなり、この嵌合部５８は、嵌合雄部４７が挿通する挿通孔６１と表面に前記連結雄部４７に設けた嵌合片４８が嵌合する嵌合孔６０を設けてある。
【００３０】
以下、本考案の実施の形態の作用について説明すると、全体を縦長または横長の矩形に形成した合成樹脂製のシェル本体２とシェル蓋体１０とを連結具で接続して開閉可能に形成してなるスーツケース１において、前記シェル蓋体１０は、上方表面に設けた開口部２０に開閉可能な正面蓋２６を取付け、該正面蓋の内部に第１ポケット部３０を設け、シェル蓋体１０内を上下二段に分割して第２ポケット部３５と第３ポケット部４１を設けて整理よく収納物を収納可能にしてある。
【００３１】
第１ポケット部３０は、正面蓋２６の裏面側に設けてなり、第１ポケット部３０のポケット裏地３１をメッシュ地で形成したことにより、正面蓋２６を開口したときに収容物を外から判別しやすく、且つ、第１ファスナー３３をポケット裏地３１の表面側に設けて開閉操作をしやすくしてあるため、第１ポケット部３０の開閉が容易で小荷物Ｘの出し入れを簡単にすることができる。
【００３２】
また、正面蓋２６は、収容幅を厚く形成してあるため、第１ポケット部３０に収容する体積の大きな収納物を収容することができる。したがって、第１ポケット部３０には、頻繁に出し入れして嵩張る小荷物Ｘ、たとえば、清涼飲料水、カメラ、週刊誌、新聞などを容易に収容することができる。
【００３３】
さらには、第１ポケット部３０は、縦長に位置したシェル蓋体１０の上方に設けた正面蓋２６の裏面内に設けてあるため、収容物の出し入れを伴う場合にしゃがむことなく前かがみなるだけで出し入れすることができ極めて便利である。
【００３４】
第２ポケット部３５は、縦長に位置したシェル蓋体１０の内部を上下二段に分割した上段側に位置し、上方を前記シェル蓋体１０の開口部２０に連通してある。したがって、収容物Ｙを出し入れする場合、正面蓋２６を開閉するだけで行うことができるので、収容物の出し入れにしゃがむことなく前かがみになるだけで出し入れすることができ便利である。
【００３５】
前記第２ポケット部３５は、底面３５ａを前記シェル蓋体１０の約二分の一の位置に設け、周縁の正面地３５ｂ、側面地３５ｃ、背面地３６の上端を前記開口部２０の周縁に縫着して
シェル蓋体１０内で袋状に浮いた状態に取付けられている。そのため、外部からの衝撃が直接第２ポケット部３５に伝わりにくいので、衝撃に弱い収容物Ｙ（例えば、精密機械であるパソコンやカメラなど）を収納することができる。
【００３６】
さらに第２ポケット部３５の背面地３６は、下辺を除く三辺に第２ファスナー３７を取付けて開閉可能に形成し、第３ポケット部４１側、またはシェル蓋体１０の蓋開口部１１に連通可能に形成してある。したがって、シェル本体２とシェル蓋体１０を開けることなくシェル本体２内の収容物を出し入れ可能にすることができる。また、この第２ポケット部３５の内側背面地３６には、上方に開口部を設けたメッシュ地からなる内ポケット３９を設け、紛失しやすい書類などを収納可能に設けてある。
【００３７】
前記シェル蓋体１０に設けた第３ポケット部４１は、前記縦長に位置した第２ポケット部３５の下方に位置し、前記蓋シェル１０の蓋開口部１１に取付けた仕切布地１５の仕切ファスナー１６で開閉可能に形成してある。この第３ポケット部４１内には、シェル本体２に収容しきれない衣類や小物などを収容可能に形成し、この第３ポケット部４１の開口は前記蓋シェル１０の蓋開口部１１に取付けた仕切布地１５で開閉可能に形成してある。
【００３８】
前記シェル蓋体１０の開口部２０と正面蓋２６との間に取付けた支持ベルト４３は、雌雄型の着脱可能に形成した連結具４４をそれぞれ連結した調節ベルト５２と、固定ベルト５４からなり、それぞれ連結具４４の一方連結雄片４５を調節ベルト５２に連結し、他方の連結雌片５５を固定ベルト５４に連結してある。
【００３９】
前記調節ベルト５２の端部は、開口部２０のマチ側で第２ポケット部３５の内側向けて固定し、固定ベルト５４の端部は正面蓋２６のマチ側に固定することにより、正面蓋２０を閉じたときに支持ベルト４３が開口部２０の外側に行かないように取付けてある。
【００４０】
前記連結具４４の連結雄片４５は、一端に調節ベルト５２を取付ける連結部４６と、連結雌片５５の嵌合部５８に着脱可能に嵌合する弾発力と可撓性を有した嵌合雄部４７とからなり、連結雌部５５は、一端に固定ベルト５４を取付ける連結部５７と、前記連結雄片４５の嵌合雄部４７を挿通して嵌合する嵌合孔６０と挿通孔６１を有した嵌合部５８とにより形成したことにより、容易に着脱させることができる。
【符号の説明】
【００４１】
１      スーツケース
２      シェル本体
３      開口部
５      把手部
６      移動用伸縮把手部
７      キャスター
８      錠前部
１０    シェル蓋体
１１    蓋開口部
１２    接続枠部
１５    仕切布地
１６    仕切ファスナー
２０    開口部
２１    上辺
２２    マチ辺
２３    下辺
２５    連結片
２６    正面蓋
２６ａ  蓋下辺
２８    蓋ファスナー
３０    第１ポケット部
３１    ポケット裏地
３３    第１ファスナー
３５    第２ポケット部
３６    背面地
３７    第２ファスナー
３９    内ポケット
４０    ファスナー
４１    第３ポケット部
４３    支持ベルト
４４    連結具
４５    連結雄片
４６    連結部
４７    嵌合雄部
４８    作動片
５２    調節ベルト
５４    固定ベルト
５５    連結雌片
５７    連結部
５８    嵌合部
６０    嵌合孔
６１    挿通孔
【図１】
0003217029.tif 000003
【図２】
0003217029.tif 000004
【図３】
0003217029.tif 000005
【図４】
0003217029.tif 000006
【図５】
0003217029.tif 000007
【図６】
0003217029.tif 000008
【図７】
0003217029.tif 000009
【図８】
0003217029.tif 000010
【図９】
0003217029.tif 000011
【図１０】
0003217029.tif 000012
【手続補正書】
【提出日】平成30年3月28日(2018.3.28)
【手続補正１】
【補正対象書類名】実用新案登録請求の範囲
【補正対象項目名】全文
【補正方法】変更
【補正の内容】
【実用新案登録請求の範囲】
【請求項１】
縦長または横長の矩形に形成した合成樹脂材からなるシェル本体（２）とシェル蓋体（１０）とを連結具で接続し、金属製フレームからなる接続枠部（１２）で開閉可能に形成してなるスーツケース（１）において、前記スーツケース（１）を縦置きにしたシェル蓋体（１０）の表面上方に開口部（２０）を設け、該開口部に正面蓋（２６）を開閉可能に取付けてなることを特徴とするスーツケース。
【請求項２】
前記正面蓋（２６）は、裏面側に小荷物（Ｘ）を出し入れ可能に収容する第１ポケット部（３０）を形成してなることを特徴とする前記請求項１記載のスーツケース。
【請求項３】
前記シェル蓋体（１０）は、内部を上下二段に分割して第２、３ポケット部（３５、４１）をそれぞれ設けてなることを特徴とする前記請求項１記載のスーツケース。
【請求項４】
前記シェル蓋体（１０）は、蓋開口部（１１）の全面をメッシュ生地あるいはゴムバンド、若しくはその両方からなる仕切布地（１５）で覆うと共に、該仕切布地を開閉可能にしてなることを特徴とする前記請求項１記載のスーツケース。
【請求項５】
前記シェル蓋体（１０）に設けた開口部（２０）は、上辺（２１）を蓋開口部（１１）附近から両側マチ側にマチ辺（２２）を開口し、下辺（２３）をシェル蓋体（１０）の表面側で上方から約三分の一または四分の一あるいは四分の一より狭い位置に開口してなり、該開口部の下辺（２３）と正面蓋（２６）の蓋下辺（２６ａ）を連結片（２５）で枢動可能に連結し、開口部（２０）の下辺（２３）と正面蓋（２６）の蓋下辺（２６ａ）を除く他の三辺に蓋ファスナー（２８）を取付けて正面蓋（２６）を開閉可能にしてなることを特徴とする前記請求項１記載のスーツケース。
【請求項６】
前記シェル蓋体（１０）の開口部（２０）に取付けた正面蓋（２６）は、裏側の内周縁全体に布地材からなるポケット裏地（３１）を取付け、該ポケット裏地の下辺（３１ａ）を除く他の三辺に第１ファスナー（３３）を取付けて開閉可能にした第１ポケット部（３０）を設けてなることを特徴とする前記請求項１または２記載のスーツケース。
【請求項７】
前記シェル蓋体（１０）に設けた第２ポケット部（３５）は、上方を前記開口部（２０）に連通し、底面（３５ａ）を前記シェル蓋体（１０）の約二分の一に位置し、周縁の正面地（３５ｂ）、側面地（３５ｃ）、背面地（３６）の上端を前記開口部（２０）縁に縫着して全体を袋状に形成してなり、前記第２ポケット部（３５）の背面地（３６）は、下辺を除く周縁の三辺に第２ファスナー（３７）を取付けて開閉可能に形成し、該背面地の内側には書類などを収納可能にする内ポケット（３９）を設けてなることを特徴とする前記請求項３記載のスーツケース。
【請求項８】
前記シェル蓋体（１０）に設けた第３ポケット部（４１）は、前記縦長に位置した第２ポケット部（３５）の下方に位置し、前記シェル蓋体（１０）の蓋開口部（１１）に取付けた仕切布地（１５）の仕切ファスナー（１６）で開閉可能に形成してなることを特徴とする前記請求項３記載のスーツケース。  
【請求項９】
前記シェル蓋体（１０）に取付けた正面蓋（２６）は、該正面蓋と開口部（２０）とあいだの幅方向両端に、雌雄型で着脱可能に形成した連結具（４４）をそれぞれ連結した調節ベルト（５２）と、固定ベルト（５４）からなる一対の支持ベルト（４３）を取付けてなることを特徴とする前記請求項１または２記載のスーツケース。
【請求項１０】
前記一対の支持ベルト（４３）は、それぞれ連結具（４４）の一方連結雄片（４５）に調節ベルト（５２）を連結し、他方の連結雌片（５５）に固定ベルト（５４）を連結してなり、前記調節ベルト（５２）の端部を開口部（２０）のマチ側で、該調節ベルトが前記第２ポケット部（３５）の内側に向けて取付け、前記固定ベルト（５４）は、端部を正面蓋（２６）のマチ側に取付け、前記正面蓋（２６）を閉じたときに支持ベルト（４３）が開口部（２０）の外側に行かないように取付けてなることを特徴とする前記請求項９記載のスーツケース。
【請求項１１】
前記連結具（４４）を構成する連結雄片（４５）は、一端に調節ベルト（５２）を取付ける連結部（４６）と、連結雌片（５５）の嵌合部（５８）に着脱可能に嵌合する弾発力と可撓性を有した嵌合雄部（４７）とからなり、連結雌部（５５）は、一端に固定ベルト（５４）を取付ける連結部（５７）と、前記連結雄片（４５）の嵌合雄部（４７）を挿通して嵌合する嵌合孔（６０）と挿通孔（６１）を有した嵌合部（５８）とからなることを特徴とする前記請求項９記載のスーツケース。
以上
【手続補正書】
【提出日】平成30年5月16日(2018.5.16)
【手続補正１】
【補正対象書類名】実用新案登録請求の範囲
【補正対象項目名】全文
【補正方法】変更
【補正の内容】
【実用新案登録請求の範囲】
【請求項１】
縦長または横長の矩形に形成した合成樹脂材からなるシェル本体（２）とシェル蓋体（１０）とを連結具で接続し、金属製フレームからなる接続枠部（１２）で開閉可能に形成してなるスーツケース（１）において、前記スーツケース（１）を縦置きにしたシェル蓋体（１０）の表面上方に開口部（２０）を設け、該開口部に正面蓋（２６）を開閉可能に取付けてなることを特徴とするスーツケース。
【請求項２】
前記正面蓋（２６）は、裏面側に小荷物（Ｘ）を出し入れ可能に収容する第１ポケット部（３０）を形成してなることを特徴とする前記請求項１記載のスーツケース。
【請求項３】
前記シェル蓋体（１０）は、内部を上下二段に分割して第２、３ポケット部（３５、４１）をそれぞれ設けてなることを特徴とする前記請求項１記載のスーツケース。
【請求項４】
前記シェル蓋体（１０）は、蓋開口部（１１）の全面をメッシュ生地あるいはゴムバンド、若しくはその両方からなる仕切布地（１５）で覆うと共に、該仕切布地を開閉可能にしてなることを特徴とする前記請求項１記載のスーツケース。
【請求項５】
前記シェル蓋体（１０）に設けた開口部（２０）は、上辺（２１）を蓋開口部（１１）附近から両側マチ側にマチ辺（２２）を開口し、下辺（２３）をシェル蓋体（１０）の表面側で上方から約三分の一または四分の一あるいは四分の一より狭い位置に開口してなり、該開口部の下辺（２３）と正面蓋（２６）の蓋下辺（２６ａ）を連結片（２５）で枢動可能に連結し、開口部（２０）の下辺（２３）と正面蓋（２６）の蓋下辺（２６ａ）を除く他の三辺に蓋ファスナー（２８）を取付けて正面蓋（２６）を開閉可能にしてなることを特徴とする前記請求項１記載のスーツケース。
【請求項６】
前記シェル蓋体（１０）の開口部（２０）に取付けた正面蓋（２６）は、裏側の内周縁全体に布地材からなるポケット裏地（３１）を取付け、該ポケット裏地の下辺（３１ａ）を除く他の三辺に第１ファスナー（３３）を取付けて開閉可能にした第１ポケット部（３０）を設けてなることを特徴とする前記請求項１または２記載のスーツケース。
【請求項７】
前記シェル蓋体（１０）に設けた第２ポケット部（３５）は、上方を前記開口部（２０）に連通し、底面（３５ａ）を前記シェル蓋体（１０）の約二分の一に位置し、周縁の正面地（３５ｂ）、側面地（３５ｃ）、背面地（３６）の上端を前記開口部（２０）縁に縫着して全体を袋状に形成してなり、前記第２ポケット部（３５）の背面地（３６）は、下辺を除く周縁の三辺に第２ファスナー（３７）を取付けて開閉可能に形成し、該背面地の内側には書類などを収納可能にする内ポケット（３９）を設けてなることを特徴とする前記請求項３記載のスーツケース。
【請求項８】
前記シェル蓋体（１０）に設けた第３ポケット部（４１）は、前記縦長に位置した第２ポケット部（３５）の下方に位置し、前記シェル蓋体（１０）の蓋開口部（１１）に取付けた仕切布地（１５）の仕切ファスナー（１６）で開閉可能に形成してなることを特徴とする前記請求項３記載のスーツケース。  
【請求項９】
前記シェル蓋体（１０）に取付けた正面蓋（２６）は、該正面蓋と開口部（２０）とあいだの幅方向両端に、雌雄型で着脱可能に形成した連結具（４４）をそれぞれ連結した調節ベルト（５２）と、固定ベルト（５４）からなる一対の支持ベルト（４３）を取付けてなることを特徴とする前記請求項１または２記載のスーツケース。
【請求項１０】
前記一対の支持ベルト（４３）は、それぞれ連結具（４４）の一方の連結雄片（４５）に調節ベルト（５２）を連結し、他方の連結雌片（５５）に固定ベルト（５４）を連結してなり、前記調節ベルト（５２）の端部を開口部（２０）のマチ側で、前記シェル蓋体（１０）に設けた第２ポケット部（３５）の内側に向けて取付け、前記固定ベルト（５４）は、端部を正面蓋（２６）のマチ側に取付け、前記正面蓋（２６）を閉じたときに支持ベルト（４３）が開口部（２０）の外側に行かないように取付けてなることを特徴とする前記請求項９記載のスーツケース。
【請求項１１】
前記連結具（４４）を構成する連結雄片（４５）は、一端に調節ベルト（５２）を取付ける連結部（４６）と、連結雌片（５５）の嵌合部（５８）に着脱可能に嵌合する弾発力と可撓性を有した嵌合雄部（４７）とからなり、連結雌片（５５）は、一端に固定ベルト（５４）を取付ける連結部（５７）と、前記連結雄片（４５）の嵌合雄部（４７）を挿通して嵌合する嵌合孔（６０）と挿通孔（６１）を有した嵌合部（５８）とからなることを特徴とする前記請求項９記載のスーツケース。
以上